(57)【特許請求の範囲】
【請求項１】
強固なホルダーブレードを具備し、
ホルダーブレードの先端に形成されかつ前記ホルダーブレードと一体に形成され弾性的に変位し得る把持用ジョーとホルダーブレードの一部を形成している強固なベースジョーとの間に定められたインサート受入れスロットを備えており、
前記インサート受入れスロットと連絡しかつ後方に伸びているスロット延長部が前記ホルダーブレードに形成されており、
それぞれ前記把持用ジョー及び前記ホルダー内に形成され間隔の空けられた変位面及び支持面を備えており、
前記変位面は前記スロット延長部の前方において前記把持用ジョー内に形成された把持用ジョー開口の縁により構成されており、
更に、スロット拡張用キーを具備し、
スロット拡張用キーに、前記面と組み合うようにされ前記キーの１対の間隔を空けられ突き出ている突起であって、その一方がインサートの挿入又は取出しのために前記把持用ジョーを前記ベースジョーに関して外向きに開位置に弾性的に変位させるように前記ホルダーブレードに関して変位可能である突起が、設けられている
ことを特徴とする金属切削工具組立体。
【発明の詳細な説明】
【０００１】
【産業上の利用分野】
本発明は、ホルダーのブレードに形成されたインサート保持用のスロットに交換式の切削用インサートが解放可能に差し込まれる形式の金属切削工具組立体に関する。特に、本発明は、インサートが把持用のねじ又は同等品のような別の機械的把持手段の使用なしに、弾性的に変位可能な把持用ジョーと強固なベースジョーとの間の保持用スロット内に把持され保持される切削用工具組立体に関する。
【０００２】
【従来技術及びその課題】
本発明が関連する種類の切削用工具組立体の一つの公知の形式は、インサート保持用スロットにおけるインサートのいわゆる「くさび把持」を含む。この場合、１個の切れ刃を有するインサートにくさび状の本体が設けられ、これが強制挿入され、かつ対応したくさび状の保持用スロット内に保持される。スロット内でのインサートの実際の把持は、インサートのスロット内への強制挿入の結果としての把持用ジョーの弾性的な外向き変位により行われる。この形式の切削用工具組立体では、ジョーの弾性変位はスロット内へのインサートの挿入によりなされるが、インサートを取り出したいときは、インサートをスロットから機械的に排出させるために、インサートに対する排出圧力の直接適用を含んだ特別の手段を設けねばならない。インサートの挿入及び排出の両者とも大きな摩擦を伴い、この摩擦は一般にインサートの材料よりかなり柔らかな材料のジョーブレードの相当な摩耗を伴う。
【０００３】
或いは、まず最初に弾性的な把持用ジョーを機械的に外向きに変位させ、スロット内にインサートを導入し、次いで把持位置においてインサート上にジョーがスプリングバックできることにより、インサートをインサート保持用スロット内に導入し把持することが知られている（ＧＢ１３７９６３７）。スロットからインサートを外したいときは、把持用ジョーが再び外向きに変位され、インサートの取出しができる。ジョーの外向き変位は機械式のキーを使用して行われるが、このキーは把持用ジョーの内部と摩擦接触して動かされ、これによりジョー及び／又はキーの摩擦摩耗が生ずる。
【０００４】
【課題を解決するための手段】
上述の欠点を大きく減らし又は克服する新規かつ改良された金属切削工具組立体を提供することが本発明の目的である。
【０００５】
本発明により、
強固なホルダーブレード、
ホルダーブレードの先端に形成され、かつ前記ホルダーブレードと一体に形成され弾性的に変位し得る把持用ジョーとホルダーブレードの一部を形成している強固なベースジョーとの間に定められたインサート受入れスロット、
それぞれ前記把持用ジョーと前記ホルダーに形成され間隔の空けられた変位面と支持面；及び
スロット拡張用キーと、前記面と組み合うようにされ前記キーの１対の間隔を空けられ突き出ている突起であって、その一方が、インサートの挿入又は取出しのために前記把持用ジョーをの前記ベースジョーに関して外向きに開口位置に弾性的に変位させるように前記ホルダーブレードに関して変位可能である突起
を備えている金属切削工具組立体が提供される。
【０００６】
好ましくは、前記インサート受入れスロットと連絡しかつ後方に伸びているスロット延長部が前記ホルダーブレードに形成される。前記スロット延長部の前方において把持用ジョーに把持用ジョー開口が形成され、前記把持用スロット開口の縁により前記変位面が構成される。
【０００７】
本発明の好ましい１実施例により、前記支持面が前記把持用ジョーの上面に前記スロット延長部に近接して形成され、前記突起の一方が前記把持用ジョー開口内に突き出すようにされ、一方では前記突起の他方が前記支持面上を押し、これにより他方の突起に関する前記一方の突起のてこ作用による変位が前記把持用ジョーの外向き変位をもたらす。
【０００８】
或いは、更に本発明の別の好ましい実施例により、支持面が前記ベースジョーに形成され、前記支持面は前記ベースジョー開口の縁により構成され、更に前記突起を離すように変位させる手段が前記拡張用キーに設けられ、これにより前記突起がそれぞれ前記把持用ジョー開口及びベースジョー開口内に突き出した状態での前記突起の離れる変位が前記把持用ジョーの前記外向き変位をもたらす。
【０００９】
従って、本発明による切削工具組立体により、把持用ジョーの変位は、これがてこ作用により行われたものであっても又は適宜の直接的な直線変位によりなされたものであっても、インサート又は把持用ジョーの内面のいずれとも何らの直接的な接触もなしに達成させたものであり、この方法より、これらへの損傷が避けられ又は最小とされる。更に、スロット内へのインサートの導入及びスロットからのこれの取出しは、対向するジョー面による摩擦抵抗を伴わず、従ってこれらの面摩擦摩耗が避けられ、全体としてホルダーブレードの寿命の延長をもたらす。
【００１０】
【実施例】
本発明のよりよき理解のため、及びこれをいかに行うべきかを例示により示すために、付属図面を参照することとする。
【００１１】
図面の図１に見られるように、本発明による金属切削工具組立体用のホルダーブレード１は、把持用ジョー３及びベースジョー４と一体に形成された強固な本体部分２を備える。把持用ジョー３は比較的狭いネック部分５を介して本体部分２に連結され、これにより把持用ジョー３に、本体部分２とベースジョー４とに関するある限定された程度の可撓性の弾性を許す。ベースジョーは本体部分２に対して全くの剛体を形成する。
【００１２】
図面の図１に破線で見られるように、把持用ジョー３は、力の加わらない状態においては、ベースジョー４の方に下方に向けられかつ距離ｈ1だけ隔てられたその先端部６を持つ。
【００１３】
高さｈ2を持ったインサート７（図面の図２に図示）を入れ得るためには、把持用ジョー３は、その先端部６がベースジョー４から距離ｈ2（ここにｈ3＞ｈ2）の間隔を空けられるように、矢印８の方向（図１）に上向きに変位しなけばならない。図面の図１に見られるように、インサート保持用スロット９はホルダーブレード１の先端にありかつ把持用ジョー３とベースジョー４との対向面間に定められ、このスロットの後端はスロット９及び下方の湾曲した開口１１の後方に伸びている延長部１０に連なる。図面の図２に見られるように、延長部１０の位置は、把持用ジョーの狭いネック部分５と隣接するような位置である。インサートの下方の最奥の縁がスロット壁と出会うことなく開口１１内に確実に適正に置かれるように下方の湾曲開口１１が設けられる。保持されたインサート７は本体部分２の支台１２に当たり、更にインサートの上方の最奥の縁は延長部１０内に置かれる。この方法で本体部分とインサートの奥の縁との接触破損の可能性が防止される。
【００１４】
図面の図２に更に見られるように、インサート７はインサート保持用スロット９内に把持され保持されるので、把持用ジョー３はインサート７の上面を把持するように下向きに押す。
【００１５】
把持用ジョー３にはネック部分５の前方に貫通開口１４が形成され、一方、ベースジョー４にはその前縁の近くに貫通開口１５が形成される。
【００１６】
さて、図面の図３を参照して、インサート保持用スロットの拡張用キー２１、及びインサートの導入ができるようにインサート保持用スロットを開くためのこのキーの使用方法が詳細に説明されるであろう。図面の図３に見られるように、保持用スロット拡張用キー２１は、間隔の空けられた突起２４ａ、２４ｂの対がそれぞれ突き出した１対の一体に形成された脚２３ａ、２３ｂを有する本体２２を備える。
【００１７】
ねじ２７が通過して伸びる貫通ねじ穴２６を有するくさび状のスペーサー２５が脚２３ａ、２３ｂの間に置かれかつこれらに押し付けられ、更にスペーサー２５から遠いねじの上端は回転用ハンドル２８に連結される。
【００１８】
矢印２９方向の回転用ハンドル２８の回転がスペーサー２５の内向きの変位を生じ、これにより、矢印３０ａ、３０ｂの方向に脚２３ａ、２３ｂを外向きに変位させ、従って突起２４ａ、２４ｂを外向きに変位させる。
【００１９】
更に、突起２４ａ、２４ｂの外向き変位を生じさせるハンドル２８の回転より以前に、この突起が開口１５、１４内に挿入されかつハンドル２８の回転が矢印２９の方向であるならば、把持用ジョー３の外向きの変位を生ずるであろう。その結果、把持用ジョー３は、事実上、その狭いネック部分５の周りで旋回し、これにより把持用ジョー３とベースジョー４との間の間隔を増加させ、インサート７の挿入又は取出しを可能とする。反対方向のハンドル２８の回転は把持用ジョー３の把持位置への復帰を許し、このためインサートを定位置に把持し保持する。
【００２０】
図４は、回転ハンドル３５に組み合わせられかつ突き出した偏心回転可能な突起３４ｂと突き出した固定突起３４ａとを有する変更された形式の回転キー３３を示す。一方の方向におけるハンドルの回転は突起３４ａ、３４ｂ間の間隔を広げ、他方の回転はこの広げられた間隔を元の間隔に戻す。
【００２１】
さて、前のように、突起３４ａ、３４ｂが開口１５、１４内に位置決めされると、一方の方向のハンドルの回転は把持用ジョーを外向きに変位させ、インサートの挿入又は取出しを許す。
【００２２】
図面の図３及び４に示された実施例においては、把持用ジョー３の開口１４の縁が把持用ジョーの変位面を構成し、一方、ジョー４の開口１５の縁が支持面を構成することが認められるであろう。
【００２３】
図面の図５及び６を参照すれば、見られるように、前と同様に、把持用ジョーとベースジョーとは、これらの間にインサート保持用スロットを定め、このスロットは後向きの延長部１０及び下方の湾曲開口１１に連絡する。
【００２４】
前のように、把持用ジョー３には貫通開口１４が形成されるが、この実施例においては、ベースジョー４にはいかなる貫通開口も形成されない。図面の図６に見られるように、回転キー４１には、１対の間隔を空けて固定された円柱状突起４２、４２ｂが形成され、この突起４２ａは開口１４を通って伸び、一方、突起４２ｂはホルダーブレード１の上方受け面上にある。キーが矢印４３の方向に廻されると、把持用ジョー３の突起４２ｂに関するてこ作用による外向きの変位があるであろうことが分かる。この実施例においては、開口１４の縁が変位面として作用し、一方、突起４２が置かれたホルダーブレード１が支持用受け面として作用する。
【００２５】
図面の図７に示された変更された実施例においては、インサート保持用スロット９の後向きの延長部１０’が、キー４１の突起４２ｂを受け入れるよなうな形にされ、他方の突起４３ａは開口１４を通って伸びる。この場合も、矢印の方向にキー４１が回転すると、突起４２ｂに関する把持用ジョーのてこ作用による外向き変位が行われる。この実施例の場合も、開口１４の縁が変位面を構成し、一方、延長部１０’の縁は支持用の受け面を構成する。
【００２６】
図面の図８に示された更に変更された実施例では、ホルダーの本体部分２の上方部分に開口１４に接近しかつ間隔を空けられ更にスロット延長部に関して内側にされた別の開口が形成される。突起４２ａ、４２ｂが開口１４、４５内に差し込まれかつキーが矢印の方向に廻されると、開口１４の縁が変位面を構成し開口４５の縁が支持用受け面を構成して、突起４２ｂにより構成される支点の周りで把持用ジョーのてこ作用による外向き変位が行われる。
【００２７】
特に上述された実施例においては、実質的に平行な上下の面を有する切削用インサートの把持が説明されたが、本発明は、ホルダーブレードに形成された対応するくさび状スロット内に保持されるように配列されたくさび状本体部分を有するインサートのいわゆる「くさび把持」に拡張し得ることが容易に認められるであろう。
【００２８】
更に、本発明は、例えば特別に図解された切削用インサートのようないかなる特定種類の切削用インサートにも拘束されず、その他の形式の切削用インサートに容易に適用し得ることが理解されるであろう。
【００２９】
本発明の実施態様は次の通りである。
【００３０】
１．強固なホルダーブレード；
ホルダーブレードの先端に形成されかつ前記ホルダーブレードと一体に形成され弾性的に変位し得る把持用ジョーとホルダーブレードの一部を形成している強固なベースジョーとの間に定められたインサート受入れスロット
を備えた金属切削工具組立体において；
それぞれ前記把持用ジョー（３）と前記ホルダー（２）に形成され間隔の空けられた変位面（１４）と支持面（１５）；及び
スロット拡張用キー（２１、３３、４１）と、前記面と組み合うようにされ前記キーの１対の間隔を空けられ突き出ている突起（２４ａ、２４ｂ；３４ａ、３４ｂ；４２ａ、４２ｂ）であって、その一方が、インサートの挿入又は取出しのために前記把持用ジョーを前記ベースジョーに関して外向きに開口位置に弾性的に変位させるように前記ホルダーブレードに関して変位可能である突起
が設けられていることを特徴とする金属切削工具組立体。
【００３１】
２．前記インサート受入れスロット（９）と連絡しかつ後方に伸びているスロット延長部（１０）が前記ホルダーブレード（２）に形成されることを特徴とする実施態様１による切削工具組立体。
【００３２】
３．前記スロット延長部（１０）の前方において前記把持用ジョー（３）に把持用ジョー開口（１４）が形成され、前記変位面が前記把持用ジョー開口（１４）の縁により構成されることを特徴とする実施態様２による切削工具組立体。
【００３３】
４．前記支持面が前記把持用ジョー（３）の外面に前記スロット延長部（１０）に近接して形成され、前記突起の一方（４１ａ）が前記把持用ジョー開口（１４）内に突き出し、一方では前記突起の他方（４２ｂ）が前記支持面上を押し、これにより他方の突起（４２ｂ）に関する前記一方の突起（４２ａ）のてこ作用による変位が前記把持用ジョー（３）の外向き変位をもたらすことを特徴とする実施態様３による切削工具組立体。
【００３４】
５．前記支持面が前記スロット延長部（１０）の面（１０１）に形成され、前記突起の一方（４２ａ）は前記把持用ジョー開口（１４）内に突き出すようにされ、一方では前記突起の他方（４２ｂ）が前記支持面（１０１）上を押し、これにより他方の突起（４２ｂ）に関する前記一方の突起（４２ａ）のてこ作用による変位が前記把持用ジョー（３）の外向き変位をもたらすことを特徴とする実施態様３による切削工具組立体。
【００３５】
６．前記ベースジョー（４）にベースジョー開口（１５）が形成され、前記支持面は前記ベースジョー開口（１５）の縁により構成され、更に前記突起（２４ａ、２４ｂ；３４ａ、３４ｂ）を離すように変位させる手段が前記拡張用キー（２１、３３）に設けられ、これにより前記突起がそれぞれ前記把持用ジョー開口（１４）及びベースジョー開口（１５）内に突き出した状態での前記突起の離れる変位が前記把持用ジョー（３）の前記外向き変位をもたらすことを特徴とする実施態様１又は２による切削工具組立体。
【図面の簡単な説明】
【図１】本発明による切削工具組立体のホルダーブレードの側面図である。
【図２】図１に示されたホルダーブレードにおける切削用インサートの保持を示す側面図である。
【図３】図２に示された切削工具組立体の、組み合わせられる保持用スロット拡張用キーと一緒の斜視図である。
【図４】変更された形式の保持用スロット拡張用キーを有する図３に示されたものと同様な図面である。
【図５】本発明による更なる形式の切削用工具のホルダーブレードの側面図である。
【図６】図５に示されたホルダーブレード、及びこれに把持され保持された切削用インサートの、適切に取り付けられた保持用スロット拡張用キーと一緒の斜視図である。
【図７】本発明による更なる形式の切削用工具組立体の、組み合わせられた保持用スロット拡張用キーと一緒の斜視図である。
【図８】本発明による更に別の形式の切削用工具組立体の、組み合わせられた保持用スロット拡張用キーと一緒の斜視図である。
【符号の説明】
２    ホルダー
３    ジヨー
１４    変位面
１５    支持面
２１    キー
２４ａ  突起
２４ｂ  突起
３３    キー
４１    キー
【図１】
0003895785.tif 000002
【図２】
0003895785.tif 000003
【図３】
0003895785.tif 000004
【図４】
0003895785.tif 000005
【図５】
0003895785.tif 000006
【図６】
0003895785.tif 000007
【図７】
0003895785.tif 000008
【図８】
0003895785.tif 000009